(57)【要約】【課題】電子番組ガイド表示において、ユーザーが電子番組ガイド上で選択した番組と同一時間帯に放送が予定されている、他の放送チャンネルの番組をより多く表示することを目的とする。【解決手段】本発明に係る電子番組ガイド表示装置は、電子番組ガイド上で選択状態にある番組と同一時間帯に放送が予定されている番組情報を抽出し、その抽出した番組情報をタイトル一覧画面として表示し、さらに、そのタイトル一覧画面のページを切り替えるタイトル一覧画面構成部を具備することを特徴とする。【選択図】図１
2007208603.tif 000002
【特許請求の範囲】
【請求項１】
番組提供者側から送られてくる番組情報を受信して電子番組ガイドを表示する電子番組ガイド表示装置において、電子番組ガイド上で選択状態にある番組と同一時間帯に放送が予定されている番組情報を抽出し、その抽出した番組情報をタイトル一覧画面として表示し、さらに、そのタイトル一覧画面のページを切り替えるタイトル一覧画面構成部を具備していることを特徴とする電子番組ガイド表示装置。
【請求項２】
タイトル一覧画面上で指定された番組の詳細な情報を提供する番組情報詳細画面構成部を具備していることを特徴とする請求項１に記載の電子番組ガイド表示装置。
【請求項３】
タイトル一覧画面を消去して電子番組ガイド表示に戻るときに、タイトル一覧画面上で選択状態にあった番組を電子番組ガイド上で選択状態にして表示する電子番組ガイド構成部を備えていることを特徴とする請求項１に記載の電子番組ガイド表示装置。
【発明の詳細な説明】
【技術分野】
【０００１】
本発明は、番組情報を表示する機能を有したテレビジョン受信機に関するものである。
【背景技術】
【０００２】
近年、衛星や地上波によるデジタルテレビジョン放送が開始され、アナログ方式に比べてチャンネル数がきわめて多くなっている。多チャンネル化に伴い、膨大な数の番組の中から所望の番組を検索する操作も複雑となるので、番組の検索を支援する番組情報を番組提供者側から視聴者に提供する番組情報提供サービスが提案されており、前記デジタルテレビジョン放送では既に実施されている。
【０００３】
前記番組情報には番組識別番号、番組名、放送チャンネル、番組のジャンル、番組内容の説明、出演者情報、放送開始日時、放送終了日時などの情報が含まれる。
【０００４】
前記番組情報を利用した番組検索支援機能の１つとして、ある番組を視聴中にそのときに放送されている他の放送チャンネルの番組（以下裏番組）の情報を一覧表示することで、ユーザーが膨大な放送チャンネルの中から容易に好みの番組を見つけ出すことができる機能（以下放送中裏番組一覧表示機能）が提案されている。（特許文献１）
また、テレビジョン受像機側で受信した前記番組情報を元に、時間軸と放送チャンネル軸のマトリクスで構成した電子番組ガイドを作成して表示することにより、今後放送が予定されている番組の情報をユーザーに提供する機能が実現されている。
【特許文献１】特開平０９−２７０６７３号公報
【発明の開示】
【発明が解決しようとする課題】
【０００５】
しかしながら、前記放送中裏番組一覧表示機能では、既に放送が開始されている番組の中からしか好みの番組を検索することができないため、未だ放送が開始されていない番組の中から好みの番組を検索することができないという課題があった。
【０００６】
また、前記電子番組ガイドにおいては、未だ放送が開始されていない番組の検索は可能であるが、一度に画面に表示できる放送チャンネルの量が少ないため、放送チャンネル軸方向に何度も画面をスクロールさせながら好みの番組を検索することになる。さらに、ユーザーが好みの番組を一つ見つけ出したとしても、前記好みの番組と同一時間帯に他の放送チャンネルで放送が予定されている番組の中に、前記好みの番組よりも更に好みの番組が存在する可能性があるため、ユーザーは前記好みの番組と同一時間帯に放送が予定されている他の放送チャンネルの番組情報を一通り確認する必要があった。この操作をできるだけ容易にするためには、ユーザーが前記電子番組ガイド上で選択している番組と同一時間帯に放送が予定されている他の放送チャンネルの番組情報をより多く表示することが有用である。
【０００７】
本発明は上記の事情を鑑み、ユーザーが電子番組ガイド上で選択した番組と同一時間帯に放送が予定されている他の放送チャンネルの番組情報を、より多く表示することを目的とする。
【課題を解決するための手段】
【０００８】
本発明の請求項１に係る電子番組ガイド表示装置は、上記課題を解決するために、電子番組ガイド上で選択状態にある番組と同一時間帯に放送が予定されている番組情報を抽出し、その抽出した番組情報をタイトル一覧画面として表示し、さらに、そのタイトル一覧画面のページを切り替えるタイトル一覧画面構成部を具備することを特徴とする。
【０００９】
また、本発明の請求項２に係る電子番組ガイド表示装置は、請求項１の電子番組ガイド表示装置の構成において、タイトル一覧画面上で指定された番組の詳細な情報を提供する番組情報詳細画面構成部を具備していることを特徴とする。
【００１０】
また、本発明の請求項３に係る電子番組ガイド表示装置は、請求項１の電子番組ガイド表示装置の構成において、タイトル一覧画面を消去して電子番組ガイド表示に戻るときに、タイトル一覧画面上で選択状態にあった番組を電子番組ガイド上で選択状態にして表示する電子番組ガイド構成部を備えていることを特徴とする。
【発明の効果】
【００１１】
電子番組ガイド上で、ユーザーが好みの番組を検索する場合において、膨大な放送チャンネルの中から最も好みの番組を見つけ出すことが容易となり、電子番組ガイドの使い勝手が向上されるという効果を有する。
【発明を実施するための最良の形態】
【００１２】
以下に本発明の実施の形態について図面を参照しながら説明する。
【００１３】
（実施の形態１）
図１は、本発明の電子番組ガイド表示装置の実施の形態の構成例を示すブロック図である。
【００１４】
電子番組ガイド表示装置は、番組情報記憶部１００と、電子番組ガイド構成部１１０と、タイトル一覧画面構成部１２０と、番組情報詳細画面構成部１３０と、操作部１４０と、選択番組制御部１５０と、表示画面制御部１６０、表示部１７０で構成されている。
【００１５】
番組情報記憶部１００は、入力される番組情報を記憶する。ここで、番組情報とは、例えば送信された信号から抽出されたもので、複数の番組の放送チャンネル、番組内容、放送時間などが所定のフォーマットで入力された信号である。
【００１６】
電子番組ガイド構成部１１０は、前記番組情報記憶部１００に記憶されている前記番組情報を取得し、時間軸と放送チャンネル軸上に各番組セルを配置し、電子番組ガイドを構成する。
【００１７】
タイトル一覧画面構成部１２０は、選択番組制御部１５０が記憶している番組と放送時間が同一時間帯であるすべての番組の放送開始日時、放送終了日時、放送チャンネル情報、タイトル情報を前記番組情報記憶部１００から取得し、これらをタイトル一覧画面として構成する。
【００１８】
番組情報詳細画面構成部１３０は、選択番組制御部１５０が記憶している選択状態にある番組に関する詳細な番組情報（例えば番組内容の説明や出演者情報など）を前記番組情報記憶部１００から取得し、番組情報詳細画面を構成する。
【００１９】
操作部１４０は、リモートコントローラーや機器に実装されているボタンなどを通して与えられたユーザーの指示を出力する。
【００２０】
選択番組制御部１５０は、電子番組ガイド上、または、タイトル一覧画面上で選択されている番組を記憶しておき、前記操作部１４０から出力されるユーザーからの指示を受けて番組の選択状態を更新する。前記番組の選択状態は、電子番組ガイド上とタイトル一覧画面上とで共通のものを使用する。
【００２１】
表示画面制御部１６０は、表示する画面を管理し、前記操作部１４０から出力されるユーザーからの指示を受けて表示画面を切り替えると共に、表示部１７０へ表示画面を出力する。
【００２２】
表示部１７０は、前記表示画面制御部１６０から出力される表示画面を表示する。
【００２３】
次に、図２のフローチャート及び図３、図４、図５の画面構成例を用いて、電子番組ガイド表示装置の動作について説明する。
【００２４】
まず、Ｓ２００において、前記電子番組ガイド構成部１１０は、電子番組ガイド表示に必要な番組情報を前記番組情報記憶部１００から取得する。
【００２５】
次に、Ｓ２１０で前記選択番組制御部１５０は、番組の選択状態を初期化する。
【００２６】
次に、Ｓ２２０で前記電子番組ガイド構成部１１０は、前記選択番組制御部１５０が記憶している番組の選択状態を取得して電子番組ガイドを構成し、Ｓ２３０で前記表示画面制御部１６０は電子番組ガイド画面を前記表示部１７０に出力して表示する。図３に電子番組ガイドの構成例を示す。
【００２７】
次に、Ｓ２４０において、前記操作部１４０はユーザーからの入力を受付ける。
【００２８】
Ｓ２６０でユーザーからの入力が上下左右キーの場合、Ｓ２７０で前記選択番組制御部１５０は、記憶している番組の選択状態を更新する。
【００２９】
Ｓ２５０でユーザーからの入力がタイトル一覧画面キーの場合、Ｓ２８０において、前記タイトル一覧画面構成部１２０は、前記選択番組制御部１５０が記憶している選択状態にある番組と放送時間が同一時間帯であるすべての番組の放送開始日時、放送終了日時、放送チャンネル情報、タイトル情報を前記番組情報記憶部１００から取得し、Ｓ２９０でタイトル一覧画面を構成する。ここで、タイトル一覧画面にすべての番組が表示しきれない場合は、タイトル一覧画面構成部１２０は、タイトル一覧画面を複数のページで構成する。
【００３０】
次に、Ｓ３００で前記表示画面制御部１６０はタイトル一覧画面を前記表示部１７０に出力して表示する。図４にタイトル一覧画面の構成例を示す。
【００３１】
次に、Ｓ３１０において、前記操作部１４０はユーザーからの入力を受付け、Ｓ３２０でユーザーからの入力が決定キーの場合、Ｓ３３０において、前記番組情報詳細画面構成部１３０は、前記選択番組制御部１５０が記憶している選択状態にある番組の詳細な番組情報を前記番組情報記憶部１００から取得し、Ｓ３４０で番組情報詳細画面を構成し、Ｓ３５０で前記表示画面制御部１６０は番組情報詳細画面を前記表示部１７０に出力して表示する。図５に番組情報詳細画面の構成例を示す。
【００３２】
Ｓ３６０でユーザーからの入力が上下左右キーの場合、Ｓ３７０で前記選択番組制御部１５０は、記憶している番組の選択状態を更新する。
【００３３】
Ｓ３８０でユーザーからの入力がページキーの場合、Ｓ３９０において、前記タイトル一覧画面構成部１２０は、タイトル一覧画面のページを切り替えて、さらに前記選択番組制御部１５０に記憶されている番組の選択状態を更新する。
【００３４】
Ｓ４００でユーザーからの入力が戻るキーの場合、前記表示画面制御部１６０はタイトル一覧画面を消去して電子番組ガイドを表示する。このとき、前記電子番組ガイド構成部１１０は、前記選択番組制御部１５０が記憶している番組の選択状態を取得し、電子番組ガイドの構成を更新する。
【００３５】
このように本発明の電子番組ガイド表示装置によれば、ユーザーが電子番組ガイド上で選択している番組と同一時間帯に放送が予定されている番組のタイトル一覧画面を表示することで、他の放送チャンネルの番組をより多く表示することが可能となり、また、タイトル一覧画面から指定した番組の詳細情報画面を表示することで、タイトルだけでは内容がわかりづらい番組の詳細情報を即座に確認することができるようになり、ユーザーが最も好みの番組を見つけ出すことが容易となることから、電子番組ガイドの操作性が向上する。
【００３６】
なお、上記実施例では、タイトル一覧画面に放送開始日時、放送終了日時、放送チャンネル情報、タイトル情報を表示するものとしたが、これらの情報がすべて表示される必要はない。また、それ以上の情報を表示しても構わない。
【産業上の利用可能性】
【００３７】
本発明の電子番組ガイド表示装置は、番組を選択する電子番組ガイドの使い勝手を向上させるものであり、テレビジョン受像機や録画機器などを始めとする電子番組ガイド表示機能を有するシステムの電子番組ガイド表示装置として有用である。
【図面の簡単な説明】
【００３８】
【図１】本発明の実施形態における電子番組ガイド表示装置の構成を示すブロック図
【図２】本発明の実施形態における電子番組ガイド表示装置の電子番組ガイド表示に関する動作を示すフローチャート
【図３】本発明の実施形態における電子番組ガイド表示装置によって表示される電子番組ガイドの構成例を示す図
【図４】本発明の実施形態における電子番組ガイド表示装置によって表示されるタイトル一覧画面の構成例を示す図
【図５】本発明の実施形態における電子番組ガイド表示装置によって表示される番組情報詳細画面の構成例を示す図
【符号の説明】
【００３９】
１００    番組情報記憶部
１１０    電子番組ガイド構成部
１２０    タイトル一覧画面構成部
１３０    番組情報詳細画面構成部
１４０    操作部
１５０    選択番組制御部
１６０    表示画面制御部
１７０    表示部
【図１】
2007208603.tif 000003
【図２】
2007208603.tif 000004
【図３】
2007208603.tif 000005
【図４】
2007208603.tif 000006
【図５】
2007208603.tif 000007